(57)【要約】【課題】不揮発性メモリの使用効率を向上するデータ格納方法および、その方法を採用した音声記録再生装置を提供する。【解決手段】音声記録再生装置に音声を録音する場合、音声データの圧縮率が所定の値以下の場合には、図２（Ｂ）に示すように不揮発性メモリ１０２の各ブロック内１ページ目とｎページ目以外の２ページ目からｎ−１ページ目までは、冗長部領域のａ＋１バイト目からａ＋ｂバイト目についても音声データを格納する領域として使用し、図２（Ａ）に示す従来のデータ格納方法よりもｂ×（ｎ−２）バイト分データ格納領域を拡大することにより、不揮発性メモリ１０２を効率的に使用する。【選択図】図２
2007279402.tif 000002
【特許請求の範囲】
【請求項１】
データ消去の最小単位である複数のブロックで構成され、かつ前記各ブロックが、データを格納するデータ部領域ならびに、ファイル管理情報およびエラー訂正符号の少なくとも一方を格納する冗長部領域に分割された不揮発性メモリへ、デジタル化された音声データをファイル単位で格納する不揮発性メモリへのデータ格納方法であって、
前記複数のブロックのうち特定の一部のブロックのデータ部領域および冗長部領域にファイル管理情報を複数回書き込み、他のブロックのデータ部領域および冗長部領域に音声データを書き込むことを特徴とする不揮発性メモリへのデータ格納方法。
【請求項２】
前記複数のブロックのうち音声データを書き込むブロックについて、ブロックの先頭ページおよび最終ページの冗長部領域にファイルリンク情報を書き込むことを特徴とする請求項１に記載の不揮発性メモリへのデータ格納方法。
【請求項３】
音声データの圧縮率が所定の値以下の場合に、前記データ部領域および冗長部領域への音声データの書き込みを行い、前記音声データの圧縮率が所定の値を超える場合には、前記データ部領域にのみ音声データの書き込みを行うことを特徴とする請求項１または２に記載の不揮発性メモリへのデータ格納方法。
【請求項４】
前記特定の一部のブロックへのファイル管理情報の書き込みを奇数回行い、書き込まれたファイル管理情報のうち同じ値が最も多いファイル管理情報の値を正しいファイル管理情報とすることを特徴とする請求項１〜３のいずれかに記載の不揮発性メモリへのデータ格納方法。
【請求項５】
前記不揮発性メモリとしてＮＡＮＤ型フラッシュメモリを用いることを特徴とする請求項１〜４のいずれかに記載の不揮発性メモリへのデータ格納方法。
【請求項６】
デジタル化された音声データの圧縮および、圧縮された音声データの伸張を行う音声圧縮・伸張手段と、
データ消去の最小単位である複数のブロックで構成され、かつ前記各ブロックが、データを格納するデータ部領域ならびに、ファイル管理情報およびエラー訂正符号の少なくとも一方を格納する冗長部領域に分割され、前記音声圧縮・伸張手段で圧縮された音声データを格納する不揮発性メモリと、
前記不揮発性メモリへの音声データの書き込みおよび前記不揮発性メモリからの音声データの読み出しを制御する制御手段とを少なくとも備え、
前記制御手段は、前記複数のブロックのうち特定の一部のブロックのデータ部領域および冗長部領域にファイル管理情報を複数回書き込み、他のブロックのデータ部領域および冗長部領域に音声データを書き込むことを特徴とする音声記録再生装置。
【請求項７】
前記制御手段は、前記複数のブロックのうち音声データを書き込むブロックについて、ブロックの先頭ページおよび最終ページの冗長部領域にファイルリンク情報を書き込むことを特徴とする請求項６に記載の音声記録再生装置。
【請求項８】
前記制御手段は、音声データの圧縮率が所定の値以下の場合に、前記データ部領域および冗長部領域への音声データの書き込みを行い、前記音声データの圧縮率が所定の値を超える場合には、前記データ部領域にのみ音声データの書き込みを行うことを特徴とする請求項６または７に記載の音声記録再生装置。
【請求項９】
前記制御手段は、前記特定の一部のブロックへのファイル管理情報の書き込みを奇数回行い、書き込まれたファイル管理情報のうち同じ値が最も多いファイル管理情報を正しいファイル管理情報とすることを特徴とする請求項６〜８のいずれかに記載の音声記録再生装置。
【請求項１０】
前記不揮発性メモリとしてＮＡＮＤ型フラッシュメモリを用いることを特徴とする請求項６〜９のいずれかに記載の音声記録再生装置。
【発明の詳細な説明】
【技術分野】
【０００１】
本発明は、不揮発性メモリへのデータ格納方法および、その方法を採用した音声記録再生装置に関するものである。
【背景技術】
【０００２】
近年、音声記録再生装置の記録素子として不揮発性メモリが広く使用されており、中でもＮＡＮＤ型フラッシュメモリが注目を集めている。ＮＡＮＤ型フラッシュメモリは、電気的に書き換え可能な不揮発性メモリの一形態であるフラッシュメモリの一種である。
【０００３】
２５６ＭバイトのＮＡＮＤ型フラッシュメモリを例にとって、その構成を説明する。図４に示すように、ＮＡＮＤ型フラッシュメモリは、データを一時的に格納するデータレジスタ４０１と、２０４８個の物理的なメモリブロック４０２とで構成されている。１ブロックはさらに６４ページから構成されている。ブロック４０２はデータ消去時の最小単位であり、ページ４０３はデータ書き込みおよび読み出しの際の基本的な単位となっている。また１ページは２１１２バイトから構成されており、そのうち２０４８バイトはデータを格納するデータ部領域として使用され、６４バイトはエラー訂正符号やファイルリンク情報等の管理情報を格納する冗長部領域として使用される。
【０００４】
このような構造のＮＡＮＤ型フラッシュメモリに対して、効率的なデータ格納を行うための従来の方法として、製造出荷段階で使用不可とされる不良ブロックの欠損ビットのビット代替領域を同一ブロック内の別ページに設けて、使用可能ブロックとして管理してデータ格納領域を拡大する方法がある（特許文献１参照）。
【０００５】
図５に、特許文献１の図４に記載された従来の不揮発性メモリへのデータ格納方法を示す。以下、図５を参照して従来のデータ格納方法について説明する。
【０００６】
図５（Ａ）は、製造出荷段階での不良ブロックをそのまま管理した代替処理前のＮＡＮＤ型フラッシュメモリ構造の一例を示しており、図示するようにａ番目のブロックの２ページ目に１ビットの欠損ビットを含んでおり、ａ＋２番目のブロックの３ページ目に３ビットの欠損ビットを含んでいる場合、ａ番目とａ＋２番目のブロックは不良ブロックとなり、使用不可とされている。
【０００７】
一方、図５（Ｂ）は、ビット単位の代替処理を実行したＮＡＮＤ型フラッシュメモリの構造を示す。図示するようにａ番目のブロックの２ページ目に１ビットの欠損ビットを含んでいる場合は、冗長部領域に書き込まれているＥＣＣ（Error Correcting Code）により、エラー訂正可能であるため、使用可能ブロックとなる。また、ａ＋２番目のブロックの３ページ目に３ビットの欠損ビットを含んでいる場合は、エラー訂正可能なビット数が１ビットまでのため、３ビットの欠損ビットはＥＣＣでのエラー訂正は不可となる。そのため、特許文献１に記載の方法では、同じａ＋２番目のブロック内のｎ−１ページ目に欠損ビットの代替ビット領域を割り当てて格納している。
【０００８】
これにより、３ページ目の欠損ビットにデータを書き込む際には、代替ビットに書き込む制御がなされており、結果として、ａ＋２番目のブロックについても使用可能ブロックとなる。さらに、ビット単位の代替に用いる代替ビットアドレス情報は、同一ブロック内（本例では、ａ＋２番目のブロック）の最終ページであるｎページ目に書き込まれている。
【０００９】
以上説明したように、従来のデータ格納方法では、製造出荷段階で欠損ビットを有する使用不可の不良ブロックに対して、ＥＣＣによる訂正可能ビット数を超えた欠損ビットであっても、同一ブロック内に代替ビット格納領域を設けて、代替ビットを欠損ビットに割り当てることにより使用可能なブロックとして扱い、ＮＡＮＤ型フラッシュメモリ内のデータ領域を効率的に利用して、データ格納を行うことが可能となっている。
【特許文献１】特開２００５−１９６６５８号公報
【発明の開示】
【発明が解決しようとする課題】
【００１０】
このような従来の不揮発性メモリへのデータ格納方法は、あくまでもデータ部領域に対してデータ格納を効率的に行うものであり、冗長部領域は、データの管理情報やエラー訂正情報を格納する領域として扱われ、メモリ内の全領域に対しての効率的なデータ格納方法ではない。
【００１１】
本発明は、音声記録再生装置特有の性質、すなわち、メモリに音声データを格納する際に１ビット程度のエラーが発生したとしても、聴感上１ビットの欠損を聴き取ることは非常に困難であり、実用上ユーザに不具合を与えることはないという性質を利用して、音声データを格納する領域の拡大を図ったデータ格納方法を提供することを目的とする。
【課題を解決するための手段】
【００１２】
上記目的を達成するために本発明の不揮発性メモリへのデータ格納方法は、
データ消去の最小単位である複数のブロックで構成され、かつ前記各ブロックが、データを格納するデータ部領域ならびに、ファイル管理情報およびエラー訂正符号の少なくとも一方を格納する冗長部領域に分割された不揮発性メモリへ、デジタル化された音声データをファイル単位で格納する不揮発性メモリへのデータ格納方法であって、
前記複数のブロックのうち特定の一部のブロックのデータ部領域および冗長部領域にファイル管理情報を複数回書き込み、他のブロックのデータ部領域および冗長部領域に音声データを書き込むことを特徴とする。
【００１３】
本発明の不揮発性メモリへのデータ格納方法において、前記複数のブロックのうち音声データを書き込むブロックについて、ブロックの先頭ページおよび最終ページの冗長部領域にファイルリンク情報を書き込むことが好ましい。
【００１４】
また本発明の不揮発性メモリへのデータ格納方法において、音声データの圧縮率が所定の値以下の場合に、前記データ部領域および冗長部領域への音声データの書き込みを行い、前記音声データの圧縮率が所定の値を超える場合には、前記データ部領域にのみ音声データの書き込みを行うことが好ましい。
【００１５】
更に、前記特定の一部のブロックへのファイル管理情報の書き込みを奇数回行い、書き込まれたファイル管理情報のうち同じ値が最も多いファイル管理情報の値を正しいファイル管理情報とすることが好ましい。
【００１６】
次に、本発明の音声記録再生装置は、
デジタル化された音声データの圧縮および、圧縮された音声データの伸張を行う音声圧縮・伸張手段と、
データ消去の最小単位である複数のブロックで構成され、かつ前記各ブロックが、データを格納するデータ部領域ならびに、ファイル管理情報およびエラー訂正符号の少なくとも一方を格納する冗長部領域に分割され、前記音声圧縮・伸張手段で圧縮された音声データを格納する不揮発性メモリと、
前記不揮発性メモリへの音声データの書き込みおよび前記不揮発性メモリからの音声データの読み出しを制御する制御手段とを少なくとも備え、
前記制御手段は、前記複数のブロックのうち特定の一部のブロックのデータ部領域および冗長部領域にファイル管理情報を複数回書き込み、他のブロックのデータ部領域および冗長部領域に音声データを書き込むことを特徴とする。
【発明の効果】
【００１７】
本発明のデータ格納方法は、音声データに対しては、必ずしもＥＣＣによるエラー訂正を行う必要がないという性質を活用し、不揮発性メモリ内のデータ部領域に加えて冗長部領域にも音声データを格納することにより、データ格納領域を拡大したものであり、不揮発性メモリのデータ格納領域を効率的に利用することが可能になる。その一方で、音声ファイル毎のファイル管理情報については、不揮発性メモリ内の先頭の複数ブロックに複数回書き込みを行い、多数決による誤り訂正を行うことによってデータの信頼性を確保している。
【００１８】
更に本発明では、音声データ記録時の圧縮率の違いにより、音声データ格納領域として不揮発性メモリ内のデータ部領域のみを使用するのか、データ部領域に加えて冗長部領域も使用するのかの判定を行い、圧縮率が所定の値以下の音声データについてのみ本発明のデータ格納方法を採用することにより、音声を再生する際の不具合の発生を防止している。
【発明を実施するための最良の形態】
【００１９】
以下、本発明の実施の形態について、図面を参照して説明する。図１は、本発明の実施の形態における音声記録再生装置の構成を示すブロック図、また図２は不揮発性メモリへのデータ格納方法を示すメモリ構造図である。
【００２０】
図１において、１０１は装置全体の入出力、記録、操作などの指令や制御を行うマイクロコンピュータである。１０２は音声データを格納するためのフラッシュメモリ等の不揮発性メモリである。１０３はキー入力操作などにより音声記録再生装置へ情報を入力する操作手段である。１０４は音声記録再生装置の記録状況、操作状況などの動作状況を表示する表示手段である。
【００２１】
１０５は中央演算装置、制御プログラムを格納したＲＯＭ、および作業用のＲＡＭを備えた制御手段である。制御手段１０５は、不揮発性メモリ１０２への音声データの書き込み動作および、不揮発性メモリ１０２からの音声データの読み出し動作、更には、操作手段１０３を用いた各種の動作、表示手段１０４に装置の動作状況や操作状況を表示させるための動作等を制御する。
【００２２】
１０６は音声圧縮・伸張手段であり、マイク１０７から入力されたアナログの音声データをＡ／Ｄ変換してデジタル化した後、不揮発性メモリ１０２に記録するため音声データの圧縮を行い、また不揮発性メモリ１０２から読み出された音声データを伸張した後、Ｄ／Ａ変換し、スピーカ１０８に出力する。
【００２３】
以下、まず、以上のように構成された音声記録再生装置について、動作の概要を説明する。
【００２４】
録音を行う際には、ユーザがキー入力等により音声録音の指示を操作手段１０３に行い、マイク１０７よりアナログ音声データが入力される。入力されたアナログ音声データは、音声圧縮・伸張手段１０６により音声圧縮したデジタルデータに変換され、マイクロコンピュータ１０１内の制御手段１０５により不揮発メモリ１０２へ書き込まれる。このとき、表示手段１０４を用いて音声データが不揮発性メモリ１０２に記録されている状況を確認することができる。なお、音声データの記録時には、操作手段１０３で設定された音声圧縮率の違いにより、ソフトウェアを使い分けて不揮発性メモリ１０２へのデータ書き込みを行っている。
【００２５】
一方、不揮発性メモリ１０２に格納された音声データを再生する際には、ユーザがキー入力等により音声再生の指示を操作手段１０３に行い、制御手段１０５は指定されたファイルの音声データを不揮発性メモリ１０２から読み出し、音声圧縮・伸張手段１０６により圧縮されたデータを伸張した後アナログデータに変換し、スピーカ１０８に出力する。
【００２６】
次に、本実施の形態におけるデータ格納方法の詳細について、図２を参照して説明する。図２は、本発明のデータ格納方法および従来のデータ格納方法について、メモリ構造図を用いて説明した図である。説明の都合上、１ブロックはｎページから構成され、さらに１ページはデータ部領域のａバイトと冗長部領域のｂバイトの計ａ＋ｂバイトから構成されているとする。
【００２７】
まず従来のデータ格納方法について説明する。図２（Ａ）は従来のデータ格納方法を示しており、音声記録再生装置は、不揮発性メモリ１０２への音声データ書き込みをブロック内の先頭ページである１ページ目のデータ部領域１バイト目から行っている。音声データを格納する領域はａバイト目までであり、１ページ目への書き込みが終了すれば、２ページ目へと連続的に書き込む。以下ページを順次進めていき、最終ｎページのａバイト目までデータを書き込む。１ブロック分のデータ書き込みが終了すれば、引き続き、次ブロックの１ページ目のデータ部領域１バイト目へデータを書き込んでいく。
【００２８】
結果的に、従来のデータ格納方法では、１ブロック内にはａ×ｎバイトのデータを格納することができる。冗長部領域としては、各ページのａ＋１バイト目からａ＋ｂバイト目までが割り当てられており、１ブロック内にはｂ×ｎバイトのファイル管理情報などを格納することができる。
【００２９】
一方、図２（Ｂ）は本発明によるデータ格納方法を示している。後述するように、音声データの圧縮率により、冗長部領域もデータ部領域として使用する設定音質であると判断された場合は、１ページ目とｎページ目以外の２ページ目からｎ−１ページ目までは、冗長部領域のａ＋１バイト目からａ＋ｂバイト目についても音声データを格納する領域として使用する処理が施される。
【００３０】
このとき、１ページ目とｎページ目の冗長部領域は、該当ブロック内に書き込まれている音声データの前後に繋がっているデータエリアのメモリ上のアドレス情報を示す音声ファイルのリンク情報を格納するための領域として使用されている。
【００３１】
本発明では、音声ファイルのファイル管理情報などは、不揮発性メモリ１０２内の先頭複数ブロックをＴＯＣ領域として割り当てて格納している。そのため、冗長部領域には、上記ファイルリンク情報だけを格納しても何ら問題は生じない。結果的に、本発明のデータ格納方法では、１ブロック内にはａ×ｎ＋ｂ×（ｎ−２）バイトのデータを格納することができる。
【００３２】
このように本発明のデータ格納方法により、従来のデータ格納方法に比べて、ｂ×（ｎ−２）バイト分をデータ領域として拡大して不揮発性メモリに格納することができる。２５６ＭバイトのＮＡＮＤ型フラッシュメモリの場合を例に取ると、ａ＝２０４８、ｂ＝６４、ｎ＝６４であるから、本発明のデータ格納方法により３９６８バイト分のデータを拡大して書き込めることができ、これは、１ブロック内の全データ領域に対して、約３％データ領域を拡大することを意味しており、音声記録再生装置としては、従来に比べて約３％録音可能時間が増加することになる。
【００３３】
次に、図２（Ａ）に示した従来のデータ格納方法と、図２（Ｂ）に示した本発明のデータ格納方法の使い分けについて説明する。
【００３４】
前述したように、音声記録再生装置において、メモリに音声データを格納する際に１ビット程度のエラーが発生したとしても、聴感上１ビットの欠損を聴き取ることは非常に困難であり、実用上ユーザに不具合を与えることはない。従って、音声データに対しては、必ずしもＥＣＣによるエラー訂正を行う必要がないため、不揮発性メモリの冗長部領域を音声データの記録領域として使用することができる。
【００３５】
ただし、ファイル管理情報を含むＴＯＣ情報については、エラーが発生した場合、ファイルの検索ができなくなるため、エラー訂正を行う必要がある。しかし、本発明では冗長部領域にもデータを格納するため、ＥＣＣによるエラー訂正を行うことができない。そこで、ＴＯＣ情報については、特定の複数のブロック、例えば不揮発性メモリ内の先頭の複数ブロックに同じデータを奇数回書き込み、それらのデータのうち同じ値が最も多いデータを正しい値とする、多数決によるエラー訂正を行っている。
【００３６】
一方、音声記録再生装置に音声を格納する場合、通常、データの圧縮を行っている。データの圧縮率が低い場合には、音声データに１ビット程度のエラーが発生しても、聴感上、欠損はほとんど問題とならないが、データの圧縮率が高まるに従って音声データは、より高音質になり、聴感上、音声データのエラーの影響が大きくなる。このため、データの圧縮率が所定の値を超える場合、図２（A）に示す従来のデータ格納方法を用いて不揮発性メモリに音声データを格納する必要がある。
【００３７】
本実施の形態の音声記録再生装置の動作について、図３のフローチャートを参照して説明する。図３のフローチャートでは、音声データの圧縮率の違いにより図２（Ａ）に示した従来のデータ格納方法と、図２（Ｂ）に示した本発明のデータ格納方法を使い分けている。
【００３８】
録音動作を開始すると、ステップＳ３０１では、操作手段１０３における録音キーの入力判定処理が行われる。判定がＹｅｓの場合にはステップＳ３０２に進み、Ｎｏの場合には、判定がＹｅｓとなるまで繰り返しキー入力の判定処理を行う。
【００３９】
次にステップＳ３０２では、録音動作前の各種処理を行う。具体的には、不揮発性メモリ１０２内の空きエリアをチェックし、録音音質の設定を行い、マイクロコンピュータ１０１内の制御手段１０５による処理が施される。これにより、不揮発性メモリ１０２への音声データ書き込み時の音声データ圧縮率が決定され、マイク１０７より入力されるアナログ音声データを音声圧縮・伸張手段１０６により定められた圧縮率で音声圧縮したデジタル化データに変換する準備が完了する。
【００４０】
続いて、ステップＳ３０３で音声の録音がスタートする。録音スタート後のステップＳ３０４では、録音時に必要な各種設定状況の確認を行う。具体的には、操作手段１０３からの入力でマイクロコンピュータ１０１に指令を出した設定状態を確認する。
【００４１】
次にステップＳ３０５では、ステップＳ３０２の録音音質設定で決定された音声データ圧縮率が、不揮発性メモリ１０２内のデータ部領域のみを使用して音声記録する圧縮率なのか、あるいは冗長部領域までデータ格納領域を拡大して音声記録する圧縮率なのかのいずれかの判定を行う。
【００４２】
ステップＳ３０５の判定がＹｅｓの場合は、ステップＳ３０６に進み、不揮発性メモリ１０２内の最小データ書き込み単位であるページ毎に冗長部領域までデータを格納する領域として使用するために、音声記録エリアのバイト数（またはカラム数）を設定する。ステップＳ３０５の判定がＮｏの場合は、音声データをデータ部領域にのみ格納するためカラム数の設定を行わず、ステップＳ３０７へと進む。
【００４３】
ステップＳ３０７では、マイクロコンピュータ１０１内の制御手段１０５により、不揮発性メモリ１０２へのデジタルデータの書き込み処理を行う。
【００４４】
ステップＳ３０８では、操作手段１０３による録音停止キーの入力判定処理が行われる。判定がＹｅｓの場合はステップＳ３０９に進むが、Ｎｏの場合は、再びステップＳ３０７を継続する処理へと遷移する。
【００４５】
ステップＳ３０９では、不揮発性メモリ１０２に書き込まれた音声データに関するファイル管理情報を含むＴＯＣ情報を更新する処理を行う。具体的には、不揮発性メモリ１０２内の先頭複数ブロックにＴＯＣ情報を複数回書き込んで、ＴＯＣ情報の更新を行う。
【００４６】
ステップＳ３１０では、音声データ書き込みに使用した録音設定音質が不揮発性メモリ１０２内のデータ部領域のみを使用して音声記録する圧縮率なのか、あるいは冗長部領域までデータ格納領域を拡大して音声記録する圧縮率なのかの判定を行う。判定がＹｅｓの場合は、ステップＳ３１１に進み、冗長部領域までデータ部領域として使用した際の録音時間を算出する処理を行う。判定がＮｏの場合は、ステップＳ３１２に進み、データ部領域のみ使用した際の録音時間算出処理を行う。
【００４７】
続いてステップＳ３１３では、録音された音声データの開始ブロックアドレス、終了ブロックアドレス、開始ページアドレス、終了ページアドレス、開始カラムアドレス、終了カラムアドレス、前述のステップＳ３１１あるいはＳ３１２で算出した録音時間、そして音声データが録音された日付（西暦・月・日）、録音総ページ数を含むＴＯＣ情報の最終更新処理を行い、一連の録音動作処理を終了する。
【００４８】
以上のように本実施の形態によるデータ格納方法は、不揮発性メモリにデジタル化された音声データを圧縮記録する音声記録再生装置において、不揮発性メモリ内のデータ部領域に加えて、冗長部領域にも音声データを格納することにより、不揮発性メモリ内部のデータ格納領域の効率的な利用を図っている。更に、不揮発性メモリへの音声データ記録時の圧縮率の違いにより、音声データを格納する領域として不揮発性メモリ内のデータ部領域のみを使用するのか、データ部領域に加えて冗長部領域も使用するのかを使い分けることによって、音声再生における信頼性の確保も図っている。
【産業上の利用可能性】
【００４９】
本発明のデータ格納方法は、デジタル化された音声データを圧縮記録する音声記録再生装置において、冗長部領域をも含めた不揮発性メモリ内部のデータ格納領域を効率的に利用することが可能になるものであり、不揮発性メモリを搭載した音声記録再生装置等のデータ格納方法として有用である。
【図面の簡単な説明】
【００５０】
【図１】本発明の実施の形態における音声記録再生装置の構成を示すブロック図
【図２】不揮発性メモリへのデータ格納方法を示す構造図
【図３】本発明の実施の形態における音声記録再生装置の録音動作を示すフローチャート
【図４】ＮＡＮＤ型フラッシュメモリの構造図
【図５】従来の不揮発性メモリへのデータ格納方法を示す構造図
【符号の説明】
【００５１】
１０１  マイクロコンピュータ
１０２  不揮発性メモリ
１０３  操作手段
１０４  表示手段
１０５  制御手段
１０６  音声圧縮・伸張手段
１０７  マイク
１０８  スピーカ
【図１】
2007279402.tif 000003
【図２】
2007279402.tif 000004
【図３】
2007279402.tif 000005
【図４】
2007279402.tif 000006
【図５】
2007279402.tif 000007